(57)【要約】【課題】気液接触部材の上縁部に略均等に電解水を供給できる空気除菌装置を提供すること。【解決手段】筐体内に矩形状の気液接触部材５を斜めに配置し、この気液接触部材５のエレメント部Ｅの上縁部に上方から電解水供給管１７を介して電解水を滴下し、この電解水が浸透したエレメント部Ｅに空気を送風して室内に吹き出す構成を有し、電解水供給管１７には、上記エレメント部Ｅの上縁部に略均等に電解水を供給可能に略横向きの散水孔７７を形成した。【選択図】図６
2007202618.tif 000002
【特許請求の範囲】
【請求項１】
筐体内に矩形状の気液接触部材を斜めに配置し、この気液接触部材の斜めになった上縁部に上方から電解水供給管を介して電解水を滴下し、この電解水が浸透した前記気液接触部材に空気を送風して室内に吹き出す構成を有し、
前記電解水供給管には、前記上縁部に略均等に電解水を供給可能に、略横向きの散水孔を形成したことを特徴とする空気除菌装置。
【請求項２】
前記電解水供給管は、前記気液接触部材の長手方向に沿って形成された散水部に挿入され、前記散水孔は、この散水部の内壁に対向する位置に形成されたことを特徴とする請求項１に記載の空気除菌装置。
【請求項３】
前記散水孔は、前記電解水供給管の軸方向に沿って略等間隔で形成されたことを特徴とする請求項１または２に記載の空気除菌装置。
【発明の詳細な説明】
【技術分野】
【０００１】
本発明は、細菌、ウィルス、真菌等の空中浮遊微生物（以下、単にウィルス等）というの除去が可能な空気除菌装置に関する。
【背景技術】
【０００２】
一般に、ウィルス等の除去を目的として、空気中に電解水ミストを拡散させて、この電解水ミストをウィルス等に直接接触させ、これらウィルス等を不活化する空気除菌装置が提案されている（例えば、特許文献１参照）。
【特許文献１】特開２００２−１８１３５８号公報
【発明の開示】
【発明が解決しようとする課題】
【０００３】
しかしながら、上記した除菌装置では、微粒子状の電解水ミストが到達しやすい使用環境下、すなわち、比較的小空間では効力を発揮するものの、電解水ミストが到達しにくい使用環境下、すなわち、大空間、例えば幼稚園や小・中・高等学校や、介護保険施設や、病院等では効力を発揮しにくいという問題がある。
【０００４】
これを解消するために、筐体内に保水性の高い気液接触部材を斜めに設け、この気液接触部材に上方から水道水を電気分解して得た電解水を滴下するとともに、この気液接触部材に室内の空気を送風し、当該気液接触部材を通過する際に上記電解水により除菌された空気を再び室内（大空間）に放出する空気除菌装置が出願人によって提案されている。
この空気除菌装置では、気液接触部材を通過する空気の除菌効率の向上を図るべく、電解水を気液接触部材の上縁部に略均等に滴下させて、この電解水を気液接触部材の全体に浸透させることが望ましい。
そこで、本発明の目的は、気液接触部材の上縁部に略均等に電解水を供給できる空気除菌装置を提供することにある。
【課題を解決するための手段】
【０００５】
本発明は、筐体内に矩形状の気液接触部材を斜めに配置し、この気液接触部材の斜めになった上縁部に上方から電解水供給管を介して電解水を滴下し、この電解水が浸透した前記気液接触部材に空気を送風して室内に吹き出す構成を有し、前記電解水供給管には、前記上縁部に略均等に電解水を供給可能に、略横向きの散水孔を形成したことを特徴とする。
【０００６】
この場合において、前記電解水供給管は、前記気液接触部材の長手方向に沿って形成された散水部に挿入され、前記散水孔は、この散水部の内壁に対向する位置に形成された構成としても良い。また、前記散水孔は、前記電解水供給管の軸方向に沿って略等間隔で形成された構成としても良い。
【発明の効果】
【０００７】
本発明によれば、散水孔から吐出された電解水は、気液接触部材の上縁部に略均等に供給されるため、この気液接触部材全体に電解水を浸透させることができ、従って、当該気液接触部材を通過する空気の除菌効率の向上を図ることができる。
【発明を実施するための最良の形態】
【０００８】
以下、図面を参照して本発明の実施の形態について説明する。
図１において、符号１は、床置き式空気除菌装置を示す。この床置き式空気除菌装置１は、箱形の筐体２を備え、この筐体２は、脚片２Ａと、前パネル２Ｂと、天パネル２Ｃとを含み、この天パネル２Ｃの両側には、操作蓋２Ｄ、開閉蓋２Ｅがそれぞれ横並びに配置されている。
【０００９】
筐体２の内部には、図２に示すように、上下方向に延出する２枚の仕切り板５１、５２が設けられ、これら仕切り板５１、５２によって上記筐体２の内部は、３つの室（除菌室６０、電装室６１、給水室６２）に区分けされている。筐体２の中央に形成された除菌室６０の下部には、横長の吸込口３が形成され、この吸込口３の上方にはプレフィルタ３Ａが配置されている。このプレフィルタ３Ａの上方には、送風ファン７が支持板８を介して、上記仕切り板５１、５２に支持されている。この支持板８の上方には、保水性の高い気液接触部材５が、図３に示すように、筐体２の背面側から前面側に向けて下がるように斜めに配置されている。本実施形態では、この気液接触部材５は矩形形状に形成されており、当該気液接触部材５を筐体２内に斜めに配置することにより、この気液接触部材５の接触面積を減少させることなく、筐体２の高さ及び奥行きを小さくすることができ、この筐体２の小型化を図ることが可能となっている。
【００１０】
気液接触部材５の傾斜角θは、３０°以上であることが望ましい。それ以下の傾斜角θの場合、滴下した電解水が、気液接触部材５の傾斜に沿って流れず、下方に落下する。また、傾斜角θが９０°に近づいた場合、気液接触部材５を通過する送風経路が水平に近くなり、その分だけ上方への吹き出しが困難になる。この吹き出し方向を水平に近付けた場合、吹き出し空気を遠くに送風できなくなり、大空間の除菌に適した装置とならない。傾斜角θは、３０°＜θ＜８０°が好ましく、さらに好ましくは、５５°＜θ＜７５°であり、本構成では約５７°である。
【００１１】
また、気液接触部材５と送風ファン７との間には、当該気液接触部材５を通過した電解水を受ける水受皿９が配置され、気液接触部材５の上方には、横長の吹出口４が形成されている。
【００１２】
筐体２の左側に形成された電装室６１には、図示を省略したが、当該空気調和装置１の運転制御を司るプリント基板などの電装部品が収容されている。一方、筐体２の右側に形成された給水室６２には、図２に示すように、上記水受皿９で受けた電解水を貯める給水タンク支持皿１０と、この給水タンク支持皿１０に貯めた電解水を汲み出す循環ポンプ１３と、この循環ポンプ１３で汲み出した水を電気分解して電解水を生成する電解槽３１等が収容されている。
【００１３】
図４Ａ〜図４Ｂは、気液接触部材５に電解水を滴下する電解水供給機構を示す。
気液接触部材５の下方には、水受皿９が配置され、この水受皿９には、給水タンク支持皿１０が連接されている。この給水タンク支持皿１０には、当該支持皿１０内に塩素イオンを含む水道水を供給する給水タンク１１と、循環ポンプ１３とが配置されている。この循環ポンプ１３には電解槽３１が接続され、この電解槽３１には電解水供給管１７が接続されている。この電解水供給管１７は、軸方向に沿って略等間隔で形成された多数の散水孔７７を備えて構成されている。これら各散水孔７７は、気液接触部材５の各エレメント部Ｅ（後述する）に対応する位置に形成されている。
【００１４】
電解槽３１は、図４Ａに示すように、水受皿９及び給水タンク支持皿１０より上方に配置され、電解槽３１には循環ポンプ１３が運転を開始すると、給水タンク支持皿１０から吸い上げられた水が貯留され、循環ポンプ１３が運転を停止すると、電解槽３１内の水は重力により給水タンク支持皿１０に自然落下し、電解槽３１が空になる。
【００１５】
この電解槽３１には、図４Ｂに示すように、一方が正、他方が負となる対の電極３２、３３を交互に備え、電極３２、３３は、通電された場合、電解槽３１に流入した水道水を電気分解して活性酸素種を生成させる。ここで、活性酸素種とは、通常の酸素よりも高い酸化活性を持つ酸素と、その関連物質のことであり、スーパーオキシドアニオン、一重項酸素、ヒドロキシルラジカル、或いは過酸化水素といった、いわゆる狭義の活性酸素に、オゾン、次ハロゲン酸等といった、いわゆる広義の活性酸素を含めたものとする。電解槽３１は、気液接触部材５に接近して配置され、水道水を電気分解して生成された活性酸素種を、ただちに気液接触部材５に供給できるように構成される。
【００１６】
電極３２、３３は、例えばベースがＴｉ（チタン）で皮膜層がＩｒ（イリジウム）、Ｐｔ（白金）から構成された電極板であり、この電極３２、３３に流れる電流値は、電流密度で数ｍＡ（ミリアンペア）／ｃｍ2（平方センチメートル）〜数十ｍＡ／ｃｍ2になるように設定され、所定の遊離残留塩素濃度（例えば１ｍｇ（ミリグラム）／ｌ（リットル））を発生させる。
【００１７】
詳述すると、上記電極３２、３３により水道水に通電すると、カソード電極では、
４Ｈ+＋４ｅ-＋（４ＯＨ-）→２Ｈ2＋（４ＯＨ-）
の反応が起こり、アノード電極では、
２Ｈ2Ｏ→４Ｈ+＋Ｏ2＋４ｅ-
の反応が起こると同時に、
水に含まれる塩素イオン（水道水に予め添加されているもの）が、
２Ｃｌ-→Ｃｌ2＋２ｅ-
のように反応し、さらにこのＣｌ2は水と反応し、
Ｃｌ2＋Ｈ2Ｏ→ＨＣｌＯ＋ＨＣｌ
となる。
【００１８】
従って、電極３２、３３に通電することにより、殺菌力の大きいＨＣｌＯ（次亜塩素酸）を発生させ、この次亜塩素酸が供給された気液接触部材５に空気を通過させることにより、この気液接触部材５で雑菌が繁殖することを防止でき、気液接触部材５を通過する空気中に浮遊するウィルスを不活化することができる。また、空気中の臭気も気液接触部材５を通過する際に、次亜塩素酸と反応し、イオン化して溶解するので、空気が脱臭される。
【００１９】
次に、気液接触部材５について説明する。
気液接触部材５は、図５に示すように、電解水を浸透させるとともに空気を通過させる複数（本実施形態では５つ）のエレメント部Ｅと、これらエレメント部Ｅを支持するフレーム部Ｆとを備えて構成されている。このフレーム部Ｆは、下枠７１と、この下枠７１の両端に固定される一対の縦枠７２、７３と、一方の縦枠７２の上部を貫通して他方の縦枠７３の上部に先端が固定される電解水供給管１７と、この電解水供給管１７を覆うように一対の縦枠７２、７３の上端部間に固定される上枠（散水部）７４とを備える。すなわち、電解水供給管１７は、気液接触部材５の長手方向に沿って形成された上枠（散水部）７４に挿入されている。
【００２０】
この上枠７４は、図６に示すように、上板７４Ａ、前板７４Ｂ及び背板７４Ｃを有する断面略コ字状に形成され、これら前板７４Ｂ及び背板７４Ｃの内側の面には、それぞれ上板７４Ａに略平行に延出した各一対の支持部材７５、７５が形成されている。これら支持部材７５、７５の間には、電解水供給管１７の下方に配置される第１分流シート７６が差し込まれて支持されている。この第１分流シート７６は、上記電解水供給管１７に形成された多数の散水孔７７から滴下された電解水を当該第１分流シート７６全体に拡散させることにより、上記エレメント部Ｅの上面に均一に電解水を供給可能とするものである。
また、上板７４Ａの内側の面には、前板７４Ｂ及び背板７４Ｃに略平行に延出した一対のガイド片７９Ａ、７９Ｂが形成されている。また、下枠７１の下面には、エレメント部Ｅに滴下された余剰の電解水を、水受け皿９に排出する排水口７１Ａが形成されている。
【００２１】
一方、エレメント部Ｅは、図７に示すように、波板状の波板部材８１と平板状の平板部材８２とが積層されて構成され、これら積層された波板部材８１及び平板部材８２の両端に、当該エレメント部の縦枠を構成する一対の枠部材８３が配置されている。この枠部材８３は、プラスチック等の樹脂によって形成されており、この枠部材８３を、積層された波板部材８１及び平板部材８２の両端に配置することにより、当該エレメント部Ｅの取り扱いが容易となる。また、エレメント部Ｅは、上記波板部材８１及び平板部材８２を積層させることにより、これら波板部材８１と平板部材８２との間に略三角状の多数の開口８５が形成され、気体接触面積が広く確保され、電解水滴下が可能で、目詰まりしにくい構造になっている。
【００２２】
各エレメント部Ｅは、フレーム部Ｆの縦枠７２、７３間に並べて配置されており、これらエレメント部Ｅの上面（上縁部）には、複数枚の第２分流シート８４がそれぞれ配置されている。この第２分流シート８４は、第１分流シート７６を介して、各エレメント部Ｅの上面に供給された電解水を当該エレメント部Ｅの上面全体に拡散させるものである。
本実施形態では、第２分流シート８４は、３枚の分流シート（上分流シート８４Ａ、中分流シート８４Ｂ及び下分流シート８４Ｃ）を備えて構成されている。これら中分流シート８４Ｂ及び下分流シート８４Ｃは、積層された波板部材８１及び平板部材８２の幅方向の長さと略同一に設定されている。また、上分流シート８４Ａは、上記中分流シート８４Ｂ及び下分流シート８４Ｃと略同一の長さを有する基部８４Ａ１と、この基部８４Ａ１の両端に設けられた折り曲げ部８４Ａ２とを有し、これら折り曲げ部８４Ａ２を、枠部材８３に形成された挿入口８３Ａに挿し込むことにより、３枚の分流シート８４Ａ〜８４Ｃを重ねてエレメント部Ｅの上面に取り付けることができるようになっている。
【００２３】
上記波板素材８１、平板素材８２、第１分流シート７６及び第２分流シート８４は、液体の浸透性を有するとともに、電解水による劣化が少ない素材、例えば、ポリオレフィン系樹脂（ポリエチレン樹脂、ポリプロピレン樹脂等）、ＰＥＴ（ポリエチレン・テレフタレート）樹脂、塩化ビニル樹脂、フッ素系樹脂（ＰＴＦＥ、ＰＦＡ、ＥＴＦＥ等）またはセラミックス系材料等の素材が使用され、本構成では、ＰＥＴ樹脂が使用されている。なお、電解水は防かび性を発揮するため、気液接触部材５には防かび剤の塗布が不要である。
【００２４】
次に、電解水供給管１７に形成された散水孔７７について説明する。
上述のように、気液接触部材５は矩形形状に形成されるとともに、筐体２内に斜めに配置されている。このため、電解水を単に滴下した場合には、この電解水は第１分留シート７６の下部７６Ｂに集中することにより、エレメント部Ｅの背面側には電解水が浸透するものの、当該エレメント部Ｅの前面側には電解水が浸透しにくく、結果的に均一に電解水をエレメント部Ｅへ浸透できないことにより、十分な除菌効果が得られないことが考えられる。
【００２５】
このため、本実施形態では、第１分留シート７６の全面に均一に電解水を供給すべく、電解水供給管１７には、筐体２の前面側に向けて略横向きに散水孔７７が形成されている。本明細書では、略横向きとは水平方向のみならず、第１分留シート７６もしくはエレメント部Ｅの上面に均一に電解水を供給可能な角度を含む。
具体的には、散水孔７７は、図６に示すように、上枠７４の前板７４Ｂ側に形成されたガイド片（内壁）７９Ａに対向する位置に形成されており、気液接触部材５の傾斜角度をθ（度）とした場合、上記散水孔７７は、水平面に対する仰角が９０−θ（度）となる位置に形成されている。また、散水孔７７は、電解水供給管１７の軸方向の所定間隔ごとに略一直線上に形成されている。
【００２６】
この構成によれば、電解水供給管１７の散水孔７７から吐出された電解水は、上枠７４の内面に形成されたガイド片７９Ａに当たり、第１分留シート７６の上部７６Ａ側に滴下される。この滴下された電解水は、第１分留シート７６の傾斜を利用して当該第１分留シート７６の上部７６Ａ側から下部７６Ｂ側に移動することにより、当該第１分流シート７６全体に浸透して拡散する。この電解水は、第２分流シート８４上に滴下され、この第２分流シート８４全体に拡散してエレメント部Ｅの上部全体に浸透し、気液接触部材５の傾斜に沿って下方に浸透していく。このため、気液接触部材５の全体に電解水を均等に浸透させることができることにより、この気液接触部材５で雑菌が繁殖することを防止でき、気液接触部材５を通過する空気中に浮遊するウィルスを不活化することができる。
さらに、上記散水孔７７からの当該孔径に対応する総散水量は、循環ポンプ１３の吐出量よりも少なく設定されている。このため、電解水供給管１７内の電解水圧力が高められ、電解水が末端の散水孔７７にまでくまなく供給され、これによって、気液接触部材５の長手方向の隅々にまで電解水を均等に浸透させることができる。
【００２７】
次に、床置き式空気除菌装置１の空気除菌時の動作を説明する。
図１において、操作蓋２Ｄを開くと、図示を省略した操作パネルが内側に設けられており、この操作パネルを操作することで、床置き式空気除菌装置１の運転が開始される。この運転が開始されると、図４Ａに示すように、循環ポンプ１３が駆動され、給水タンク支持皿１０に溜まった水道水が、電解槽３１に供給される。
この電解槽３１では、電極３２、３３への通電により、水道水が電気分解されて活性酸素種を含む電解水が生成される。この電解水は、電解水供給管１７の散水孔７７（図６）から吐出され、上枠７４に形成されたガイド片７９に当たって、第１分流シート７６上に滴下される。これにより、電解水が第１分流シート７６全体に拡散し、この電解水が第２分流シート８４に落下する。この落下した電解水は第２分流シート８４に浸透して、この第２分流シート８４全体に拡散し、エレメント部Ｅの上部全体に電解水を供給し、これによって、電解水がエレメント部Ｅの波板素材８１及び平板素材８２の隅々に浸透するようになっている。
【００２８】
気液接触部材５から滴下した電解水は、下枠７１に形成された排水口７１Ａ（図６）を通じて水受皿９に排出され、この水受皿９の下り勾配を通じて給水タンク支持皿１０内に流入し、そこに貯留される。本構成では、水が循環式となっており、蒸発等により水量が減った場合、給水タンク１１内の水道水が、給水タンク支持皿１０に適量供給される。この給水タンク１１は、開閉蓋２Ｅ（図１参照）を開いて取り出し自在に配置され、この給水タンク１１を取り出して水道水の補給が可能となる。
【００２９】
電解水が浸透した気液接触部材５には、送風ファン７を経て、室内の空気が供給される。この室内の空気は、気液接触部材５のエレメント部Ｅにしみ込んだ活性酸素種に接触して、再び、室内に吹き出される。この活性酸素種は、室内の空気中に、例えばインフルエンザウィルスが浮遊した場合、その感染に必須の当該ウィルスの表面蛋白（スパイク）を破壊、消失（除去）する機能を持ち、これを破壊すると、インフルエンザウィルスと、当該ウィルスが感染するのに必要な受容体（レセプタ）とが結合しなくなり、これによって感染が阻止される。実証試験の結果、インフルエンザウィルスが浮遊した空気を、本構成の気液接触部材５に通した場合、当該ウィルスを９９％以上除去できることが判明した。
【００３０】
本実施形態によれば、筐体２内に矩形状の気液接触部材５を斜めに配置し、この気液接触部材５のエレメント部Ｅの上面に上方から電解水供給管１７を介して電解水を滴下し、この電解水が浸透したエレメント部Ｅに空気を送風して室内に吹き出す構成を有し、電解水供給管１７には、上記エレメント部Ｅの上面に略均等に電解水を供給可能に略横向きの散水孔７７を形成したため、この散水孔７７から吐出された電解水は、エレメント部Ｅの上面に略均等に供給されことにより、このエレメント部Ｅ全体に略均等に電解水を浸透させることができる。従って、このエレメント部Ｅに空気を通過させた場合、この空気と電解水とがより接触しやすい状態にあるため、当該エレメント部Ｅを通過する空気の除菌効率の向上を図ることができる。
【００３１】
また、本実施形態によれば、電解水供給管１７は、気液接触部材５の長手方向に沿って形成された上枠７４に挿入され、散水孔７７は、この上枠７４のガイド片７９に対向する位置に形成されているため、このガイド片７９に当たった電解水は、第１分留シート７６の上部７６Ａ側に滴下される。このため、電解水は、第１分流シート７６全体に拡散して第２分流シート８４に滴下し、この第２分流シート８４全体に拡散してエレメント部Ｅの上面全体に浸透し、気液接触部材５の傾斜に沿って下方に浸透していく。このため、上記エレメント部Ｅ全体に電解水を略均等に浸透させることができ、当該エレメント部Ｅを通過する空気の除菌効率の向上を図ることができる。
【００３２】
また、本実施形態によれば、散水孔７７は、電解水供給管１７の軸方向に沿って略等間隔で形成されているため、この散水孔７７から滴下された電解水は、電解水供給管１７に配置された第１分流シート７６上に滴下され、この第１分流シート７６に浸透することにより、この電解水を当該第１分流シート７６の長手方向に略均等に拡散させることができる。このため、電解水は、気液接触部材５のエレメント部Ｅの上面部に略均等に供給されるため、このエレメント部Ｅ全体に電解水を浸透させることができ、従って、当該エレメント部Ｅを通過する空気の除菌効率の向上を図ることができる。
【００３３】
以上、一実施形態に基づいて本発明を説明したが、本発明は、これに限定されるものではない。例えば、活性酸素種としてオゾン（Ｏ3）や過酸化水素（Ｈ2Ｏ2）を発生させる構成としても良い。この場合、電極として白金タンタル電極を用いると、イオン種が希薄な水から、電気分解により高効率に安定して活性酸素種を生成できる。
このとき、アノード電極では、
２Ｈ2Ｏ→４Ｈ+＋Ｏ2＋４ｅ-
の反応と同時に、
３Ｈ2Ｏ→Ｏ3＋６Ｈ+＋６ｅ-
２Ｈ2Ｏ→Ｏ3＋４Ｈ+＋４ｅ-
の反応が起こりオゾン（Ｏ3）が生成される。またカソード電極では、
４Ｈ+＋４ｅ-＋（４ＯＨ-）→２Ｈ2＋（４ＯＨ-）
Ｏ2-＋ｅ-＋２Ｈ+→Ｈ2Ｏ2
のように、電極反応により生成したＯ2-と溶液中のＨ+とが結合して、過酸化水素（Ｈ2Ｏ2）が生成される。
【００３４】
この構成では、電極に通電することにより、殺菌力の大きいオゾン（Ｏ3）や過酸化水素（Ｈ2Ｏ2）が発生し、これらオゾン（Ｏ3）や過酸化水素（Ｈ2Ｏ2）を含んだ電解水を作ることができる。この電解水中におけるオゾンもしくは過酸化水素の濃度を、対象ウィルス等を不活化させる濃度に調整し、この濃度の電解水が供給された気液接触部材５に空気を通過させることにより、空気中に浮遊する対象ウィルス等を不活化することができる。また、臭気も気液接触部材５を通過する際に、電解水中のオゾンまたは過酸化水素と反応し、イオン化して溶解することで、空気中から除去され、脱臭される。
【００３５】
水道水を電気分解することにより、電極上（カソード）にスケールが堆積した場合、電気伝導性が低下し、継続的な電気分解が困難となる。
この場合、電極の極性を反転（電極のプラスとマイナスを切り替える）させることが効果的である。カソード電極をアノード電極として電気分解することで、カソード電極上に堆積したスケールを取り除くことができる。この極性反転制御では、例えばタイマを利用して定期的に反転させてもよいし、運転起動の度に反転させる等、不定期的に反転させてもよい。また、電解抵抗の上昇（電解電流の低下、あるいは電解電圧の上昇）を検出し、この結果に基づいて、極性を反転させてもよい。
【００３６】
上記実施形態では、出し入れ自在な給水タンク１１による給水方式としたが、この給水タンク１１の代わりに、例えば水道管を接続して、市水を直接導く水配管給水方式としてもよいことは云うまでもない。
【００３７】
また、上記実施形態では、上枠７４に散水孔７７が対向するガイド片７９を備える構成としていたが、これに限るものではない。このガイド片７９を備えない構成の場合には、上枠７４の前板７４Ｂが内壁に相当する。
また、上記実施形態では、各エレメント部Ｅには、第２分流シート８４として３枚のシート８４Ａ〜８４Ｃを重ねる構成としたが、これに限るものではなく、この枚数を適宜変更しても良い。例えば、気液接触部材を通過する風量が、この気液接触部材の中央部で最も多く、両端側に移行するにつれて低減する場合、風量の多い中央部のエレメント部Ｅでは第２分流シートを１枚とし、両端側に移行するにつれて枚数を２枚、３枚と増やすようにするのが望ましい。この構成によれば、中央部での通水抵抗が減少するため、風量の多い中央部では電解水の供給量が増加する。このため、風量に応じた電解水を供給することにより、気液接触部材を通過する空気中に浮遊するウィルスを効果的に不活化することができる。
また、第２分流シートの枚数を変更するだけでなく、この第２分流シートの目地径（メッシュ径）を変更する（具体的には、中央部の目地径を大きく、両端側に移行するにつれて小さくする）構成としても良い。
【図面の簡単な説明】
【００３８】
【図１】本発明の一実施形態を示す斜視図である。
【図２】内部構成を示す斜視図である。
【図３】筐体の縦断面図である。
【図４】気液接触部材に電解水を滴下する機構を示す系統図であり、Ａは側面図、Ｂは電解槽の構成図である。
【図５】気液接触部材の斜視図である。
【図６】気液接触部材の縦断面図である。
【図７】気液接触部材の部分横断面図である。
【符号の説明】
【００３９】
１  床置き式空気除菌装置（空気除菌装置）
５  気液接触部材
１７  電解水供給管
７６  第１分流シート
７７  散水孔
８４  第２分流シート
Ｅ  エレメント部
Ｆ  フレーム部
【図１】
2007202618.tif 000003
【図２】
2007202618.tif 000004
【図３】
2007202618.tif 000005
【図４】
2007202618.tif 000006
【図５】
2007202618.tif 000007
【図６】
2007202618.tif 000008
【図７】
2007202618.tif 000009